(57)【要約】【課題】持ち運ぶ際に袋体の開口部を簡単に閉じることができ、しかも、構造が簡単で安価な紐付き袋体を提供する。【解決手段】紐付き袋体１は、上端に開口部２ａを有する袋体２と、袋体２に取り付けられた紐３とを備える。開口部２ａが閉じるように袋体２が扁平にされたときに袋体２における開口部２ａ側の部分において表裏に貫通する第１及び第２の貫通孔１６，１７が、前記上端に沿った方向に互いに間隔をあけて設けられる。紐３は、紐３の一方の端部側から紐３の他方の端部側へかけて、第１の貫通孔１６を前記表裏の一方側から他方側へ挿通した後に、第２の貫通孔１７を前記表裏の前記他方側から前記一方側へ挿通し、紐３の前記一方の端部付近及び前記他方の端部付近にそれぞれ抜け止め部１８，１９が設けられる。【選択図】図１
2015212166.tif 000002
【特許請求の範囲】
【請求項１】
上端に開口部を有する袋体と、前記袋体に取り付けられた紐とを備え、
前記開口部が閉じるように前記袋体が扁平にされたときに前記袋体における前記開口部側の部分において表裏に貫通する第１及び第２の貫通孔が、前記上端に沿った方向に互いに間隔をあけて設けられ、
前記紐は、当該紐の一方の端部側から当該紐の他方の端部側へかけて、前記第１の貫通孔を前記表裏の一方側から他方側へ挿通した後に、前記第２の貫通孔を前記表裏の前記他方側から前記一方側へ挿通し、
前記紐の前記一方の端部付近及び前記他方の端部付近にそれぞれ抜け止め部が設けられた、
ことを特徴とする紐付き袋体。
【請求項２】
前記袋体は角底袋であり、
前記第１及び第２の貫通孔は、前記袋体の側部の襠部分に形成された孔を含むことを特徴とする請求項１記載の紐付き袋体。
【請求項３】
前記紐における前記第１及び第２の貫通孔から前記表裏の前記他方側へ導出された部分に装着された紐調節用固定具であって、当該部分における任意の２カ所間を固定する紐調節用固定具を備えたことを特徴とする請求項１又は２記載の紐付き袋体。
【請求項４】
上端に開口部を有する角底袋であって、前面部、後面部及び襠部分をなす両側部を有する角筒状の胴部と、角底部とを有する角底袋と、
前記角底袋に取り付けられた紐と、
を備え、
前記開口部が閉じるように前記角底袋が扁平にされたときに前記角底袋における前記開口部側の部分において表裏に貫通する第１及び第２の貫通孔が、前記上端に沿った方向に互いに間隔をあけて設けられ、
前記角底袋が扁平に折り畳まれたときに前記角底部及びこれに対面して折り重ねられた前記前面部の部分において、前記角底部の前側の辺の付近でこれらを貫通する第３の貫通孔が設けられ、
前記紐は、当該紐の一方の端部側から当該紐の他方の端部側へかけて、前記第１の貫通孔を前記前面部の側から前記後面部の側へ挿通した後に、前記第２の貫通孔を前記後面部の側から前記前面部の側へ挿通し、更に、前記第３の貫通孔を挿通し、
前記紐の前記一方の端部付近及び前記他方の端部付近にそれぞれ抜け止め部が設けられた、
ことを特徴とする紐付き袋体。
【請求項５】
前記紐は、当該紐の前記一方の端部側から当該紐の前記他方の端部側へかけて、前記第３の貫通孔を挿通するに際して、前記第３の貫通孔を前記前面部の側から前記角底部の側へ挿通したことを特徴とする請求項４記載の紐付き袋体。
【請求項６】
前記第３の貫通孔は、前記前面部の両側辺のうち前記第１の貫通孔が前記第２の貫通孔よりも近い側の辺に対して、当該辺寄りに配置されたことを特徴とする請求項４又は５記載の紐付き袋体。
【請求項７】
上端に開口部を有する角底袋であって、前面部、後面部及び襠部分をなす両側部を有する角筒状の胴部と、角底部とを有する角底袋と、
前記角底袋に取り付けられた第１及び第２の紐と、
を備え、
前記開口部が閉じるように前記角底袋が扁平にされたときに前記角底袋における前記開口部側の部分において表裏に貫通する第１及び第２の貫通孔が、前記上端に沿った方向に互いに間隔をあけて設けられ、
前記角底袋が扁平に折り畳まれたときに前記角底部及びこれに対面して折り重ねられた前記前面部の部分において、前記角底部の前側の辺の付近でこれらを貫通する第３及び第４の貫通孔が、前記前側の辺に沿った方向に互いに間隔をあけて設けられ、
前記前面部の両側辺のうち前記第１の貫通孔が前記第２の貫通孔よりも近い側の辺と、前記前面部の両側辺のうち前記第３の貫通孔が前記第４の貫通孔よりも近い側の辺とが、同一であり、
前記第１の紐は、当該第１の紐の一方の端部側から当該第１の紐の他方の端部側へかけて、前記第１の貫通孔を前記後面部の側から前記前面部の側へ挿通した後に、前記第３の貫通孔を挿通し、
前記第１の紐の前記一方の端部付近及び前記他方の端部付近にそれぞれ抜け止め部が設けられ、
前記第２の紐は、当該第２の紐の一方の端部側から当該第２の紐の他方の端部側へかけて、前記第２の貫通孔を前記後面部の側から前記前面部の側へ挿通した後に、前記第４の貫通孔を挿通し、
前記第２の紐の前記一方の端部付近及び前記他方の端部付近にそれぞれ抜け止め部が設けられた、
ことを特徴とする紐付き袋体。
【請求項８】
前記第１の紐は、当該第１の紐の前記一方の端部側から当該第１の紐の前記他方の端部側へかけて、前記第３の貫通孔を挿通するに際して、前記第３の貫通孔を前記前面部の側から前記角底部の側へ挿通し、
前記第２の紐は、当該第２の紐の前記一方の端部側から当該第２の紐の前記他方の端部側へかけて、前記第４の貫通孔を挿通するに際して、前記第４の貫通孔を前記前面部の側から前記角底部の側へ挿通した、
ことを特徴とする請求項７記載の紐付き袋体。
【請求項９】
前記第１及び第２の貫通孔は、前記角底袋の前記襠部分に形成された孔を含むことを特徴とする請求項４乃至８のいずれかに記載の紐付き袋体。
【請求項１０】
上端に開口部を有する袋体と、前記袋体に取り付けられた紐と、連結具とを備え、
前記開口部が閉じるように前記袋体が扁平にされたときに前記袋体における前記開口部側の部分において表裏に貫通する第１及び第２の貫通孔が、前記上端に沿った方向に互いに間隔をあけて設けられ、
前記連結具は、第３及び第４の貫通孔を有し、
前記紐は、当該紐の一方の端部側から当該紐の他方の端部側へかけて、前記第３の貫通孔を挿通してから前記第１の貫通孔を前記表裏の一方側から他方側へ挿通した後に、前記第２の貫通孔を前記表裏の前記他方側から前記一方側へ挿通し、更に、前記第４の貫通孔を挿通し、
前記紐の前記一方の端部付近及び前記他方の端部付近にそれぞれ抜け止め部が設けられた、
ことを特徴とする紐付き袋体。
【請求項１１】
前記連結具は板状部材で構成されたことを特徴とする請求項１０記載の紐付き袋体。
【請求項１２】
前記袋体は角底袋であり、
前記第１及び第２の貫通孔は、前記袋体の側部の襠部分に形成された孔を含むことを特徴とする請求項１０又は１１記載の紐付き袋体。
【発明の詳細な説明】
【技術分野】
【０００１】
本発明は、袋体に紐が取り付けられた紐付き袋体に関するものである。
【背景技術】
【０００２】
従来から、上部が開口しかつ開口部の縁に一対の提げ手（手提げ用紐）が取り付けられてなる手提げ袋（例えば、下記特許文献１の図９）が提供されている。
【先行技術文献】
【特許文献】
【０００３】
【特許文献１】特許第２９７９１２０号公報
【発明の概要】
【発明が解決しようとする課題】
【０００４】
しかしながら、前記従来の手提げ袋では、持ち運ぶ際にも開口部が開いたままなので、収容した物品が開口部から脱出してしまう可能性がある。
【０００５】
本発明は、このような事情に鑑みてなされたもので、持ち運ぶ際に袋体の開口部を簡単に閉じることができ、しかも、構造が簡単で安価な紐付き袋体を提供することを目的とする。
【課題を解決するための手段】
【０００６】
前記課題を解決するための手段として、以下の各態様を提示する。第１の態様による紐付き袋体は、上端に開口部を有する袋体と、前記袋体に取り付けられた紐とを備え、前記開口部が閉じるように前記袋体が扁平にされたときに前記袋体における前記開口部側の部分において表裏に貫通する第１及び第２の貫通孔が、前記上端に沿った方向に互いに間隔をあけて設けられ、前記紐は、当該紐の一方の端部側から当該紐の他方の端部側へかけて、前記第１の貫通孔を前記表裏の一方側から他方側へ挿通した後に、前記第２の貫通孔を前記表裏の前記他方側から前記一方側へ挿通し、前記紐の前記一方の端部付近及び前記他方の端部付近にそれぞれ抜け止め部が設けられたものである。前記紐は、例えば、手提げ用又は肩掛け用の紐として用いられる。
【０００７】
この第１の態様によれば、前記紐が前記第１及び第２の貫通孔に対して前述したように挿通され、前記紐の一方端部付近及び他方端部付近にそれぞれ抜け止め部が設けられているので、使用者が前記紐を持って持ち上げたり肩に掛けたりすることによって、特別な操作を要することなく、袋体の開口部が閉じられる。したがって、この第１の態様によれば、持ち運ぶ際に袋体の開口部を簡単に閉じることができる。そして、この第１の態様では、紐が１本だけで済むとともに、袋体には前記第１及び第２の貫通孔以外の特別な構造を採用せずに済むため、構造が簡単で安価となる。
【０００８】
第２の態様による紐付き袋体は、前記第１の態様において、前記袋体は角底袋であり、前記第１及び第２の貫通孔は、前記袋体の側部の襠部分に形成された孔を含むものである。
【０００９】
この第２の態様によれば、袋体の側部の襠部分にも紐が挿通されるので、袋体の開口部をより確実に閉じることができる。もっとも、前記第１の態様では、前記袋体が角底袋である場合であっても、襠部分を避けるように前記第１及び第２の貫通孔を配置し、紐は襠部分には挿通しなくてもよい。
【００１０】
第３の態様による紐付き袋体は、前記第１又は第２の態様において、前記紐における前記第１及び第２の貫通孔から前記表裏の前記他方側へ導出された部分に装着された紐調節用固定具であって、当該部分における任意の２カ所間を固定する紐調節用固定具を備えたものである。
【００１１】
この第３の態様によれば、前記紐調節用固定具によって紐の固定箇所を適宜調節することによって、使用者が紐を持って持ち上げたり肩に掛けたりしなくても、袋体の開口部を閉じた状態に保持することができる。
【００１２】
第４の態様による紐付き袋体は、上端に開口部を有する角底袋であって、前面部、後面部及び襠部分をなす両側部を有する角筒状の胴部と、角底部とを有する角底袋と、前記角底袋に取り付けられた紐と、を備え、前記開口部が閉じるように前記角底袋が扁平にされたときに前記角底袋における前記開口部側の部分において表裏に貫通する第１及び第２の貫通孔が、前記上端に沿った方向に互いに間隔をあけて設けられ、前記角底袋が扁平に折り畳まれたときに前記角底部及びこれに対面して折り重ねられた前記前面部の部分において、前記角底部の前側の辺の付近でこれらを貫通する第３の貫通孔が設けられ、前記紐は、当該紐の一方の端部側から当該紐の他方の端部側へかけて、前記第１の貫通孔を前記前面部の側から前記後面部の側へ挿通した後に、前記第２の貫通孔を前記後面部の側から前記前面部の側へ挿通し、更に、前記第３の貫通孔を挿通し、前記紐の前記一方の端部付近及び前記他方の端部付近にそれぞれ抜け止め部が設けられたものである。前記紐は、例えば、背負い用紐として用いられる。
【００１３】
この第４の態様によれば、前記紐が前記第１乃至第３の貫通孔に対して前述したように挿通され、前記紐の一方端部付近及び他方端部付近にそれぞれ抜け止め部が設けられているので、使用者が前記紐を例えば斜め掛けして当該袋体を背負うことによって、特別な操作を要することなく、袋体の開口部が閉じられる。したがって、この第４の態様によれば、持ち運ぶ際に袋体の開口部を簡単に閉じることができる。そして、この第４の態様では、紐が１本だけで済むとともに、角底袋には前記第１乃至第３の貫通孔以外の特別な構造を採用せずに済むため、構造が簡単で安価となる。
【００１４】
第５の態様による紐付き袋体は、前記第４の態様において、前記紐は、当該紐の前記一方の端部側から当該紐の前記他方の端部側へかけて、前記第３の貫通孔を挿通するに際して、前記第３の貫通孔を前記前面部の側から前記角底部の側へ挿通したものである。
【００１５】
この第５の態様によれば、前記紐が前記第３の貫通孔を前記前面部の側から前記角底部の側へ挿通するので、前記紐が前記第３の貫通孔を前記角底部の側から前記前面部の側へ挿通する場合に比べて、前記紐が短くて済む。もっとも、前記第４の態様では、前記紐が前記第３の貫通孔を前記角底部の側から前記前面部の側へ挿通してもよい。
【００１６】
第６の態様による紐付き袋体は、前記第４又は第５の態様において、前記第３の貫通孔は、前記前面部の両側辺のうち前記第１の貫通孔が前記第２の貫通孔よりも近い側の辺に対して、当該辺寄りに配置されたものである。
【００１７】
この第６の態様によれば、よりバランス良く紐付き袋体を背負うことができる。もっとも、前記第４及び第５の態様では、必ずしもこれに限らない。
【００１８】
第７の態様による紐付き袋体は、上端に開口部を有する角底袋であって、前面部、後面部及び襠部分をなす両側部を有する角筒状の胴部と、角底部とを有する角底袋と、前記角底袋に取り付けられた第１及び第２の紐と、を備え、前記開口部が閉じるように前記角底袋が扁平にされたときに前記角底袋における前記開口部側の部分において表裏に貫通する第１及び第２の貫通孔が、前記上端に沿った方向に互いに間隔をあけて設けられ、前記角底袋が扁平に折り畳まれたときに前記角底部及びこれに対面して折り重ねられた前記前面部の部分において、前記角底部の前側の辺の付近でこれらを貫通する第３及び第４の貫通孔が、前記前側の辺に沿った方向に互いに間隔をあけて設けられ、前記前面部の両側辺のうち前記第１の貫通孔が前記第２の貫通孔よりも近い側の辺と、前記前面部の両側辺のうち前記第３の貫通孔が前記第４の貫通孔よりも近い側の辺とが、同一であり、前記第１の紐は、当該第１の紐の一方の端部側から当該第１の紐の他方の端部側へかけて、前記第１の貫通孔を前記後面部の側から前記前面部の側へ挿通した後に、前記第３の貫通孔を挿通し、前記第１の紐の前記一方の端部付近及び前記他方の端部付近にそれぞれ抜け止め部が設けられ、前記第２の紐は、当該第２の紐の一方の端部側から当該第２の紐の他方の端部側へかけて、前記第２の貫通孔を前記後面部の側から前記前面部の側へ挿通した後に、前記第４の貫通孔を挿通し、前記第２の紐の前記一方の端部付近及び前記他方の端部付近にそれぞれ抜け止め部が設けられたものである。前記第１及び第２の紐は、例えば、第１及び第２の背負い用紐として用いられる。
【００１９】
この第７の態様によれば、前記第１及び第２の紐が前記第１乃至第４の貫通孔に対して前述したように挿通され、前記第１及び第２の紐の一方端部付近及び他方端部付近にそれぞれ抜け止め部が設けられているので、使用者が前記第１及び第２の紐をリュックサック等と同様に両肩に掛けて当該袋体を背負うことによって、特別な操作を要することなく、袋体の開口部が閉じられる。したがって、この第７の態様によれば、持ち運ぶ際に袋体の開口部を簡単に閉じることができる。そして、この第７の態様では、紐が２本用いられるが、角底袋には前記第１乃至第４の貫通孔以外の特別な構造を採用せずに済むため、構造が簡単で安価となる。
【００２０】
第８の態様による紐付き袋体は、前記第７の態様において、前記第１の紐は、当該第１の紐の前記一方の端部側から当該第１の紐の前記他方の端部側へかけて、前記第３の貫通孔を挿通するに際して、前記第３の貫通孔を前記前面部の側から前記角底部の側へ挿通し、前記第２の紐は、当該第２の紐の前記一方の端部側から当該第２の紐の前記他方の端部側へかけて、前記第４の貫通孔を挿通するに際して、前記第４の貫通孔を前記前面部の側から前記角底部の側へ挿通したものである。
【００２１】
この第８の態様によれば、前記第１の紐が前記第３の貫通孔を前記前面部の側から前記角底部の側へ挿通するので、前記第１の紐が前記第３の貫通孔を前記角底部の側から前記前面部の側へ挿通する場合に比べて、前記第１の紐が短くて済む。また、前記第２の紐が前記第４の貫通孔を前記前面部の側から前記角底部の側へ挿通するので、前記第２の紐が前記第４の貫通孔を前記角底部の側から前記前面部の側へ挿通する場合に比べて、前記第１の紐が短くて済む。もっとも、前記第７の態様では、前記第１の紐が前記第３の貫通孔を前記角底部の側から前記前面部の側へ挿通してもよいし、前記第２の紐が前記第４の貫通孔を前記角底部の側から前記前面部の側へ挿通してもよい。
【００２２】
第９の態様による紐付き袋体は、前記第４乃至第８のいずれかの態様において、前記第１及び第２の貫通孔は、前記角底袋の前記襠部分に形成された孔を含むものである。
【００２３】
この第９の態様によれば、角底袋の側部の襠部分にも紐が挿通されるので、角底袋の開口部をより確実に閉じることができる。もっとも、前記第４乃至第８の態様では、襠部分を避けるように前記第１及び第２の貫通孔を配置し、紐は襠部分には挿通しなくてもよい。
【００２４】
第１０の態様による紐付き袋体は、上端に開口部を有する袋体と、前記袋体に取り付けられた紐と、連結具とを備え、前記開口部が閉じるように前記袋体が扁平にされたときに前記袋体における前記開口部側の部分において表裏に貫通する第１及び第２の貫通孔が、前記上端に沿った方向に互いに間隔をあけて設けられ、前記連結具は、第３及び第４の貫通孔を有し、前記紐は、当該紐の一方の端部側から当該紐の他方の端部側へかけて、前記第３の貫通孔を挿通してから前記第１の貫通孔を前記表裏の一方側から他方側へ挿通した後に、前記第２の貫通孔を前記表裏の前記他方側から前記一方側へ挿通し、更に、前記第４の貫通孔を挿通し、前記紐の前記一方の端部付近及び前記他方の端部付近にそれぞれ抜け止め部が設けられたものである。
【００２５】
この第１０の態様によれば、前記連結具が用いられ、前記紐が前記第１乃至第４の貫通孔に対して前述したように挿通され、前記紐の一方端部付近及び他方端部付近にそれぞれ抜け止め部が設けられているので、使用者が前記紐を持って持ち上げたり肩に掛けたりすることによって、特別な操作を要することなく、袋体の開口部が閉じられる。したがって、この第１０の態様によれば、持ち運ぶ際に袋体の開口部を簡単に閉じることができる。そして、この第１０の態様では、連結具を要するものの、紐が１本だけで済むとともに、袋体には前記第１及び第２の貫通孔以外の特別な構造を採用せずに済むため、構造が簡単で安価となる。
【００２６】
また、前記第１０の態様によれば、前記紐の一方端部が前記連結具の前記第４の貫通孔に対して抜け止めされる一方で、前記紐の一方端部側は前記第４の貫通孔に対して繰り出し可能であるとともに、前記紐の他方端部が前記連結具の前記第３の貫通孔に対して抜け止めされる一方で、前記紐の他方端部側は前記第３の貫通孔に対して繰り出し可能である。前記第１０の態様では、このような自由度を有しつつ前記紐の一方端部と他方端部とが連結されるので、例えば、前記紐を１重状態にして肩に掛けたり、前記紐を２重状態にして手に提げたり、前記紐の一方端部側及び他方端部側を両方とも前記連結具から繰り出して当該繰り出し部分を任意の箇所（例えば、使用者の腰のバンドやアウトドアにおける木の枝など）に縛り付けたり、前記紐の一方端部側のみ又は他方端部側のみを前記連結具から繰り出して当該繰り出し部分を任意の箇所（例えば、使用者の腰のバンドやアウトドアにおける木の枝など）に縛り付けたりするなど、多彩な使用方法が可能となる。
【００２７】
第１１の態様による紐付き袋体は、前記第１０の態様において、前記連結具は板状部材で構成されたものである。
【００２８】
この第１の態様によれば、前記連結具が板状部材で構成されているので、構造が簡単で安価となる。もっとも、前記第１０の態様では、前記連結具はこれに限らない。
【００２９】
第１２の態様による紐付き袋体は、前記第１０又は第１１の態様において、前記袋体は角底袋であり、前記第１及び第２の貫通孔は、前記袋体の側部の襠部分に形成された孔を含むものである。
【００３０】
この第１２の態様によれば、袋体の側部の襠部分にも紐が挿通されるので、袋体の開口部をより確実に閉じることができる。もっとも、前記第１０及び第１１の態様では、前記袋体が角底袋である場合であっても、襠部分を避けるように前記第１及び第２の貫通孔を配置し、紐は襠部分には挿通しなくてもよい。
【００３１】
なお、前記各態様において、「前」及び「後」は、いずれの側が「前」で「いずれの側が「後」であるかは固定的に定まるものではなく、「前」をいずれか一方の側とした場合に、「後」はその反対側を意味するものである。
【発明の効果】
【００３２】
本発明によれば、持ち運ぶ際に袋体の開口部を簡単に閉じることができ、しかも、構造が簡単で安価な紐付き袋体を提供することができる。
【図面の簡単な説明】
【００３３】
【図１】本発明の第１の実施の形態による紐付き袋体の、開口部を中程度開口した状態を示す概略斜視図である。
【図２】図１に示す紐付き袋体の、開口部が閉じた状態の一例を示す斜め上方から見た一部概略斜視図である。
【図３】図１に示す紐付き袋体の、開口部が閉じた状態の他の例を示す斜め上方から見た一部概略斜視図である。
【図４】図１に示す紐付き袋体を構成する角底袋の、開口部を完全に開口した状態を示す概略斜視図である。
【図５】図１に示す紐付き袋体を構成する角底袋の扁平状態を示す概略正面図及び概略右側面図である。
【図６】本発明の第２の実施の形態による紐付き袋体の、開口部を中程度開口した状態を示す概略斜視図である。
【図７】図６に示す紐付き袋体の、開口部が閉じた状態の一例を示す斜め上方から見た一部概略斜視図である。
【図８】本発明の第３の実施の形態による紐付き袋体の、開口部を中程度開口した状態を示す概略斜視図である。
【図９】図８に示す紐付き袋体を構成する角底袋の、開口部を完全に開口した状態を示す概略斜視図である。
【図１０】図８に示す紐付き袋体を構成する角底袋の扁平状態を示す概略正面図及び概略右側面図である。
【図１１】本発明の第４の実施の形態による紐付き袋体の、開口部を中程度開口した状態を示す概略斜視図である。
【図１２】図１１に示す紐付き袋体を構成する角底袋の、開口部を完全に開口した状態を示す概略斜視図である。
【図１３】図１１に示す紐付き袋体を構成する角底袋の扁平状態を示す概略正面図及び概略右側面図である。
【図１４】本発明の第５の実施の形態による紐付き袋体の、開口部を中程度開口した状態を示す概略斜視図である。
【図１５】図１４中の連結具を示す正面図及び断面図である。
【図１６】図１４に示す紐付き袋体の、開口部が閉じた状態の一例を示す斜め上方から見た一部概略斜視図である。
【図１７】図１４に示す紐付き袋体の、開口部が閉じた状態の他の例を示す斜め上方から見た一部概略斜視図である。
【図１８】図１４に示す紐付き袋体の、開口部が閉じた状態の更に他の例を示す斜め上方から見た一部概略斜視図である。
【図１９】図１４に示す紐付き袋体の、開口部が閉じた状態の更に他の例を示す斜め上方から見た一部概略斜視図である。
【図２０】図１５に示す連結具に代わる連結具を示す正面図及び断面図である。
【図２１】図１５に示す連結具に代わる他の連結具を示す正面図及び断面図である。
【発明を実施するための形態】
【００３４】
以下、本発明による紐付き袋体について、図面を参照して説明する。
【００３５】
［第１の実施の形態］
【００３６】
図１は、発明の第１の実施の形態による紐付き袋体１の、開口部２ａを中程度開口した状態を示す概略斜視図である。図２は、図１に示す紐付き袋体１の、開口部２ａが閉じた状態の一例を示す斜め上方から見た一部概略斜視図である。図３は、図１に示す紐付き袋体１の、開口部２ａが閉じた状態の他の例を示す斜め上方から見た一部概略斜視図である。図４は、図１に示す紐付き袋体１を構成する角底袋２の、開口部２ａを完全に開口した状態を示す概略斜視図である。図５（ａ）は、図１に示す紐付き袋体１を構成する角底袋２の扁平状態を示す概略正面図である。図５（ｂ）は、図１に示す紐付き袋体１を構成する角底袋２の扁平状態を示す概略右側面図である。ただし、図５（ｂ）では、襠部分を構成する右側部１３の図示は省略している。
【００３７】
以下の説明では、図１中の紙面手前側を前側、図１中の紙面奥側を後側として説明するが、その逆でもよい。「前」及び「後」は、いずれの側が「前」で「いずれの側が「後」であるかは固定的に定まるものではなく、「前」をいずれか一方の側とした場合に、「後」はその反対側を意味するものである。
【００３８】
本実施の形態による紐付き袋体１は、上端に開口部２ａを有する袋体としての角底袋２と、角底袋２に取り付けられた紐３とを備えている。もっとも、本発明では、上端に開口部２ａを有する袋体として、角底袋２に代えて他の任意の形態の袋体を用いてもよい。
【００３９】
袋体としての角底袋２を構成するシートの材質は、特に限定されるものではなく、例えば、通常の紙の他、合成紙、耐水紙、ラミネート加工した紙、フィルム加工した紙、プラスチックシート、任意のラミネートフィルムなどでもよい。
【００４０】
角底袋２は、上端に開口部２ａを有しており、前面部１１、後面部１２及び襠部分をなす両側部１３，１４を有する角筒状の胴部と、角底部１５とを有している。角底袋２の右側部１３には折り線１３ａ〜１３ｄが形成され、角底袋２の左側部１４に折り線１３ａ〜１３ｄと同様の折り線（図示せず）が形成され、これにより、角底袋２は、図５に示すように扁平状態に折り畳むことができるようになっている。この扁平状態では、開口部２ａは閉じられている。図５に示す例では、角底部１５が後面部１２の側に折り畳まれているが、角底部１５は前面部１１の側に折り畳んでもよい。この点は、後述する図１０及び図１３についても同様である。なお、角底袋２における開口部２ａの側の部分の強度を高めるために、その部分を内側に折り返して２重にしてもよい。
【００４１】
開口部２ａが閉じるように角底袋２が図５に示すように扁平にされたときに角底袋２における開口部２ａ側の部分において表裏に（前後に）貫通する第１の貫通孔１６及び第２の貫通孔１７が、前記上端に沿った方向（図５中の左右方向）に互いに間隔をあけて設けられている。本実施の形態では、第１の貫通孔１６は、角底袋２が図５に示すように扁平にされている状態において、折り畳まれた襠部分をなす右側部１３を貫く位置に配置され、前面部１１に形成された孔１６ａ、右側部１３に形成された孔１６ｂ，１６ｃ及び後面部１２に形成された孔１６ｄが、前側から後側へ順次重なったものとして構成されている。また、本実施の形態では、第２の貫通孔１７は、角底袋２が図５に示すように扁平にされている状態において、折り畳まれた襠部分をなす左側部１４を貫く位置に配置され、前面部１１に形成された孔１７ａ、左側部１４に形成された孔１７ｂ，１７ｃ及び後面部１２に形成された孔１７ｄが、前側から後側へ順次重なったものとして構成されている。もっとも、本発明では、第１及び第２の貫通孔１６，１７は、折り畳まれた裾部分をなす両側部１３，１４を避けるように、両側部１３，１４を貫かない位置に配置してもよい。
【００４２】
紐３は、紐３の一方の端部側から紐３の他方の端部側へかけて、第１の貫通孔１６を後面部１２の側から前面部１１の側へ挿通した後に、第２の貫通孔１７を前面部１１の側から後面部１２の側へ挿通している。紐３の前記一方の端部付近には抜け止め部１８が設けられ、紐３の前記他方の端部付近には抜け止め部１９が設けられている。
【００４３】
本実施の形態では、具体的には、図１に示すように、紐３の一方の端部側から紐３の他方の端部側へかけて、後面部１２の孔１６ｄの後側から、後面部１２の孔１６ｄ→右側部１３の孔１６ｃ→右側部１３の孔１６ｂ→前面部１１の孔１６ａ→前面部１１の孔１７ａ→左側部１４の孔１７ｂ→左側部１４の孔１７ｃ→後面部１２の孔１７ｄの経路で、これらの孔を順次挿通している。紐３の前記一方の端部付近の抜け止め部１８は、第２の貫通孔１７の後側（後面部１２の孔１７ｄの後側）に位置しており、紐３の前記一方端部が第２の貫通孔１７から前側へ（後面部１２の孔１７ｄから前側へ）抜けるのを阻止する。紐３の前記他方の端部付近の抜け止め部１９は、第１の貫通孔１６の後側（後面部１２の孔１６ｄの後側）に位置しており、紐３の前記他方端部が第１の貫通孔１６から前側へ（後面部１２の孔１６ｄから前側へ）抜けるのを阻止する。
【００４４】
本実施の形態では、抜け止め部１８，１９として、例えば特許第２９７９１２０号公報や特許第２９７９１２１号公報などに開示されているようなバー状ストッパが用いられている。両端部付近にバー状ストッパが予め設けられた紐３を第１及び第２の貫通孔１６，１７に挿通する際には、バー状ストッパを傾けて当該貫通孔１６，１７を通すことができ、一旦貫通孔１６，１７を通した後は、バー状ストッパの幅が貫通孔１６，１７の直径よりも大きいので、バー状ストッパが貫通孔１６，１７を抜けてしまうことがない。もっとも、抜け止め部１８，１９は、このようなバー状ストッパに限らず、例えば、紐３の結び目などでもよい。
【００４５】
本実施の形態では、紐３の長さは手提げに適した長さにされ、紐３は、手提げ用紐として用いられるようになっている。もっとも、本発明では、これに限らず、例えば、紐３の長さを肩掛けに適した長さにし、紐３を肩掛け用紐として用いてもよい。
【００４６】
なお、紐３の材料は何ら限定されるものではなく、また、紐３は編み紐でもよいしその他の紐でもよい。さらに、紐３の断面形状も必ずしも円形等に限らず、紐３は、例えばリボン状の紐でもよい。
【００４７】
本実施の形態によれば、紐３が第１及び第２の貫通孔１６，１７に対して前述したように挿通され、紐３の一方端部付近及び他方端部付近にそれぞれ抜け止め部１８，１９が設けられているので、角底袋２内に任意の物品を入れて使用者が紐３を持って持ち上げたり肩に掛けたりすることによって、特別な操作を要することなく、図２や図３に示すように、角底袋２の開口部２ａが閉じられる。
【００４８】
図２は、角底袋２内に任意の物品を完全に収容した状態を示している。この場合には、開口部２ａは完全に閉じられている。一方、図３は、角底袋２内にワインボトル等のボトル１００を収容した状態を示している。この例では、ボトル１００のボトム（図示せず）は角底袋２の角底部１５上に当接した状態で、ボトル１００のトップ１００ａが開口部２ａから若干上方に突出している。図３に示す場合には、開口部２ａにおけるトップ１００ａに対する両側に若干隙間はできるものの、前面部１１の上部及び後面部１２の上部がトップ１００ａを挟み込むように開口部２ａが窄まることにより、開口部２ａが閉じられる。
【００４９】
本実施の形態によれば、このようにして角底袋２の開口部２ａが閉じられるので、紐付き袋体１を持ち運ぶ際に、角底袋２の開口部２ａを簡単に閉じることができる。
【００５０】
そして、本実施の形態では、紐３が１本だけで済むとともに、角底袋２には第１及び第２の貫通孔１６，１７以外の特別な構造を採用せずに済むため、構造が簡単で安価となる。
【００５１】
また、本実施の形態によれば、角底袋２の側部１３，１４の襠部分にも紐３が挿通されるので、角底袋２の開口部２ａをより確実に閉じることができる。
【００５２】
なお、角底袋２を構成するシートの材質として、耐水紙や防水用のコーティングを施したものを用いれば、角底袋２内に水を入れても漏れることがない。この場合、図３に示すように、ワインボトル等のボトル１００を収容して持ち運べば、例えば、パーティ会場などにおいて、ボトル１００を入れた角底袋２に氷及び水を入れることで、ボトル１００を冷やすための容器として用いることができる。
【００５３】
［第２の実施の形態］
【００５４】
図６は、本発明の第２の実施の形態による紐付き袋体２１の、開口部２ａを中程度開口した状態を示す概略斜視図であり、図１に対応している。図７は、図６に示す紐付き袋体２１の、開口部２ａが閉じた状態の一例を示す斜め上方から見た一部概略斜視図であり、図２に対応している。図６及び図７において、図１及び図２中の要素と同一又は対応する要素には同一符号を付し、その重複する説明は省略する。
【００５５】
本実施の形態による紐付き袋体２１が前記第１の実施の形態による紐付き袋体１と異なる所は、紐調節用固定具２２が追加されている点のみである。紐調節用固定具２２は、紐３における第１及び第２の貫通孔１６，１７から前側へ導出された部分に装着されており、当該部分における任意の２カ所間を固定するものである。紐調節用固定具２２は、例えば、押圧部（図示せず）を有し、当該押圧部を押圧することで紐調節用固定具２２を紐３に対してスライドさせることができ、当該押圧部を押圧しないことにより、紐調節用固定具２２が紐３に対して固定されるように、構成されている。具体的には、紐調節用固定具２２として、例えば、実用新案登録第２５９３９７６号公報、実公平４−５０８７９号公報、実開昭６２−１１１４１４号公報などに開示された固定具を用いることができる。
【００５６】
本実施の形態によっても、前記第１の実施の形態と同様の利点が得られる。また、本実施の形態によれば、紐調節用固定具２２によって図７に示すように紐３の固定箇所を適宜調節することによって、使用者が紐３を持って持ち上げたり肩に掛けたりしなくても、角底袋２の開口部２ａを閉じた状態に保持することができる。
【００５７】
［第３の実施の形態］
【００５８】
図８は、本発明の第３の実施の形態による紐付き袋体３１の、開口部２ａを中程度開口した状態を示す概略斜視図であり、図１に対応している。図９は、図８に示す紐付き袋体３１を構成する角底袋２の、開口部２ａを完全に開口した状態を示す概略斜視図であり、図４に対応している。図１０（ａ）は、図８に示す紐付き袋体３１を構成する角底袋２の扁平状態を示す概略正面図であり、図５（ａ）に対応している。図１０（ｂ）は、図８に示す紐付き袋体３１を構成する角底袋２の扁平状態を示す概略右側面図であり、図５（ｂ）に対応している。図８乃至図１０において、図１、図４及び図５中の要素と同一又は対応する要素には同一符号を付し、その重複する説明は省略する。
【００５９】
本実施の形態による紐付き袋体３１が前記第１の実施の形態による紐付き袋体１と異なる所は、角底袋２に第３の貫通孔３２が追加されている点と、紐３の長さ及び取り付け状況である。
【００６０】
本実施の形態では、角底袋２が図１０に示すように扁平に折り畳まれたときに角底部１５及びこれに対面して折り重ねられた前面部１１の部分において、角底部１５の前側の辺１５ａの付近でこれらを貫通する第３の貫通孔３２が設けられている。本実施の形態では、第３の貫通孔３２は、角底袋２が図１０に示すように扁平に折り畳まれている状態において、前面部１１に形成された孔３２ａ及び角底部１５に形成された孔３２ｂが重なったものとして構成されている。
【００６１】
本実施の形態では、第３の貫通孔３２は、角底袋２が図１０に示すように扁平に折り畳まれている状態において、前面部１１の両側辺１１ａ，１１ｂのうち第１の貫通孔１６が第２の貫通孔１７よりも近い側の辺１１ａに対して、当該辺１１ａ寄りに配置されている。もっとも、本発明では、第３の貫通孔３２は、辺１１ｂ寄りに配置してもよいし、辺１１ａと辺１１ｂとの間の中央付近に配置してもよい。
【００６２】
紐３は、紐３の一方の端部側から紐３の他方の端部側へかけて、第１の貫通孔１６を前面部１１の側から後面部１２の側へ挿通した後に、第２の貫通孔１７を後面部１２の側から前面部１１の側へ挿通し、第３の貫通孔３２を挿通している。本実施の形態では、紐３は、紐３の前記一方の端部側から紐３の前記他方の端部側へかけて、第３の貫通孔３２を挿通するに際して、第３の貫通孔３２を前面部１１の側から角底部１５の側へ挿通している。紐３の前記一方の端部付近には抜け止め部１８が設けられ、紐３の前記他方の端部付近には抜け止め部１９が設けられている。
【００６３】
本実施の形態では、具体的には、図８に示すように、紐３の一方の端部側から紐３の他方の端部側へかけて、前面部１１の孔１６ａの前側から、前面部１１の孔１６ａ→右側部１３の孔１６ｂ→右側部１３の孔１６ｃ→後面部１２の孔１６ｄ→後面部１２の孔１７ｄ→左側部１４の孔１７ｃ→左側部１４の孔１７ｂ→前面部１１の孔１７ａ→前面部１１の孔３２ａ→角底部１５の孔３２ｂの経路で、これらの孔を順次挿通している。紐３の前記一方の端部付近の抜け止め部１８は、角底部１５の孔３２ｂの外側に位置しており、紐３の前記一方端部が第３の貫通孔３２から前側へ（前面部１１の孔３２ａから前側へ）抜けるのを阻止する。紐３の前記他方の端部付近の抜け止め部１９は、第１の貫通孔１６の前側（前面部１１の孔１６ａの前側）に位置しており、紐３の前記他方端部が第１の貫通孔１６から後側へ（前面部１１の孔１６ａから後側へ）抜けるのを阻止する。
【００６４】
なお、本発明では、紐３は、紐３の前記一方の端部側から紐３の前記他方の端部側へかけて、第３の貫通孔３２を挿通するに際して、第３の貫通孔３２を角底部１５の側から前面部１１の側へ挿通してもよい。すなわち、前記経路において、前面部１１の孔３２ａ→角底部１５の孔３２ｂに代えて、逆に角底部１５の孔３２ｂ→前面部１１の孔３２ａにしてもよい。この場合、紐３の前記一方の端部付近の抜け止め部１８は、前面部１１の孔３２ａの前側に位置し、紐３の前記一方端部が第３の貫通孔３２から後側へ（前面部１１の孔３２ａから後側へ）抜けるのを阻止する。もっとも、この場合に比べて、前記経路において、前面部１１の孔３２ａ→角底部１５の孔３２ｂとすると、わずかながら紐３が短くて済むので、好ましい。
【００６５】
本実施の形態では、紐３の長さは斜め掛けして背負うのに適した長さにされ、紐３は、背負い用紐として用いられるようになっている。もっとも、本発明では、これに限らない。なお、紐３の長さ調整用として、前述したような紐調節用固定具を、紐３における第２及び第３の貫通孔１７，３２から前側へ導出された部分に装着してもよい。
【００６６】
なお、本発明では、例えば、図８において左右を反転させたような構成を採用してもよい。
【００６７】
本実施の形態によれば、紐３が第１乃至第３の貫通孔１６，１７，３２に対して前述したように挿通され、紐３の一方端部付近及び他方端部付近にそれぞれ抜け止め部１８，１９が設けられているので、角底袋２内に任意の物品を入れて使用者が紐３を例えば斜め掛けして当該紐付き袋体３１を背負うことによって、特別な操作を要することなく、図２や図３に示すのと同様に、角底袋２の開口部２ａが閉じられる。
【００６８】
本実施の形態によれば、このようにして角底袋２の開口部２ａが閉じられるので、紐付き袋体３１を持ち運ぶ際に、角底袋２の開口部２ａを簡単に閉じることができる。
【００６９】
そして、本実施の形態では、紐３が１本だけで済むとともに、角底袋２には第１乃至第３の貫通孔１６，１７，３２以外の特別な構造を採用せずに済むため、構造が簡単で安価となる。
【００７０】
［第４の実施の形態］
【００７１】
図１１は、本発明の第４の実施の形態による紐付き袋体４１の、開口部２ａを中程度開口した状態を示す概略斜視図であり、図８に対応している。図１２は、図１１に示す紐付き袋体４１を構成する角底袋２の、開口部２ａを完全に開口した状態を示す概略斜視図であり、図９に対応している。図１３（ａ）は、図１１に示す紐付き袋体４１を構成する角底袋２の扁平状態を示す概略正面図であり、図１０（ａ）に対応している。図１３（ｂ）は、図１１に示す紐付き袋体４１を構成する角底袋２の扁平状態を示す概略右側面図であり、図１０（ｂ）に対応している。図１１乃至図１３において、図８乃至図１０中の要素と同一又は対応する要素には同一符号を付し、その重複する説明は省略する。
【００７２】
本実施の形態による紐付き袋体４１が前記第３の実施の形態による紐付き袋体３１と異なる所は、角底袋２に第４の貫通孔４２が追加されている点と、１本の紐３に代えて２本の紐３Ａ，３Ｂが角底袋２に取り付けられている点である。
【００７３】
本実施の形態では、角底袋２が図１３に示すように扁平に折り畳まれたときに角底部１５及びこれに対面して折り重ねられた前面部１１の部分において、角底部１５の前側の辺１５ａの付近でこれらを貫通する第３の貫通孔３２及び第４の貫通孔４２が、辺１５ａに沿った方向に互いに間隔をあけて設けられている。本実施の形態では、第３の貫通孔３２は、角底袋２が図５に示すように扁平に折り畳まれている状態において、前面部１１に形成された孔３２ａ及び角底部１５に形成された孔３２ｂが重なったものとして構成されている。また、本実施の形態では、第４の貫通孔４２は、角底袋２が図５に示すように扁平に折り畳まれている状態において、前面部１１に形成された孔４２ａ及び角底部１５に形成された孔４２ｂが重なったものとして構成されている。
【００７４】
本実施の形態では、前面部１１の両側辺１１ａ，１１ｂのうち第１の貫通孔１６が第２の貫通孔１７よりも近い側の辺１１ａと、前面部１１の両側辺１１ａ，１１ｂのうち第３の貫通孔３２が第４の貫通孔４２よりも近い側の辺１１ａとは、同一になっている。
【００７５】
第１の紐３Ａは、第１の紐３Ａの一方の端部側から第１の紐３Ａの他方の端部側へかけて、第１の貫通孔１６を後面部１２の側から前面部１１の側へ挿通した後に、第３の貫通孔３２を挿通している。本実施の形態では、第１の紐３Ａは、第１の紐３Ａの前記一方の端部側から第１の紐３Ａの前記他方の端部側へかけて、第３の貫通孔３２を挿通するに際して、第３の貫通孔３２を前面部１１の側から角底部１５の側へ挿通している。第１の紐３Ａの前記一方の端部付近には抜け止め部１８Ａが設けられ、第１の紐３Ａの前記他方の端部付近には抜け止め部１９Ａが設けられている。
【００７６】
本実施の形態では、具体的には、図１１に示すように、第１の紐３Ａの一方の端部側から第１の紐３Ａの他方の端部側へかけて、後面部１２の孔１６ｄの後側から、後面部１２の孔１６ｄ→右側部１３の孔１６ｃ→右側部１３の孔１６ｂ→前面部１１の孔１６ａ→前面部１１の孔３２ａ→角底部１５の孔３２ｂの経路で、これらの孔を順次挿通している。第１の紐３Ａの前記一方の端部付近の抜け止め部１８Ａは、角底部１５の孔３２ｂの外側に位置しており、第１の紐３Ａの前記一方端部が第３の貫通孔３２から前側へ（前面部１１の孔３２ａから前側へ）抜けるのを阻止する。第１の紐３Ａの前記他方の端部付近の抜け止め部１９Ａは、第１の貫通孔１６の後側（後面部１２の孔１６ｄの後側）に位置しており、第１の紐３Ａの前記他方端部が第１の貫通孔１６から前側へ（後面部１２の孔１６ｄから前側へ）抜けるのを阻止する。
【００７７】
なお、本発明では、第１の紐３Ａは、第１の紐３Ａの前記一方の端部側から第１の紐３Ａの前記他方の端部側へかけて、第３の貫通孔３２を挿通するに際して、第３の貫通孔３２を角底部１５の側から前面部１１の側へ挿通してもよい。すなわち、前記経路において、前面部１１の孔３２ａ→角底部１５の孔３２ｂに代えて、逆に角底部１５の孔３２ｂ→前面部１１の孔３２ａにしてもよい。この場合、第１の紐３Ａの前記一方の端部付近の抜け止め部１８Ａは、前面部１１の孔３２ａの前側に位置し、第１の紐３Ａの前記一方端部が第３の貫通孔３２から後側へ（前面部１１の孔３２ａから後側へ）抜けるのを阻止する。もっとも、この場合に比べて、前記経路において、前面部１１の孔３２ａ→角底部１５の孔３２ｂとすると、わずかながら第１の紐３Ａが短くて済むので、好ましい。
【００７８】
第２の紐３Ｂは、第２の紐３Ｂの一方の端部側から第２の紐３Ｂの他方の端部側へかけて、第２の貫通孔１７を後面部１２の側から前面部１１の側へ挿通した後に、第４の貫通孔４２を挿通している。本実施の形態では、第２の紐３Ｂは、第２の紐３Ｂの前記一方の端部側から第２の紐３Ｂの前記他方の端部側へかけて、第４の貫通孔４２を挿通するに際して、第４の貫通孔４２を前面部１１の側から角底部１５の側へ挿通している。第２の紐３Ｂの前記一方の端部付近には抜け止め部１８Ｂが設けられ、第２の紐３Ｂの前記他方の端部付近には抜け止め部１９Ｂが設けられている。
【００７９】
本実施の形態では、具体的には、図１１に示すように、第２の紐３Ｂの一方の端部側から第２の紐３Ｂの他方の端部側へかけて、後面部１２の孔１７ｄの後側から、後面部１２の孔１７ｄ→左側部１４の孔１７ｃ→左側部１４の孔１７ｂ→前面部１１の孔１７ａ→前面部１１の孔４２ａ→角底部１５の孔４２ｂの経路で、これらの孔を順次挿通している。第２の紐３Ｂの前記一方の端部付近の抜け止め部１８Ｂは、角底部１５の孔４２ｂの外側に位置しており、第２の紐３Ｂの前記一方端部が第４の貫通孔４２から前側へ（前面部１１の孔４２ａから前側へ）抜けるのを阻止する。第２の紐３Ｂの前記他方の端部付近の抜け止め部１９Ｂは、第２の貫通孔１７の後側（後面部１２の孔１７ｄの後側）に位置しており、第２の紐３Ｂの前記他方端部が第２の貫通孔１７から前側へ（後面部１２の孔１７ｄから前側へ）抜けるのを阻止する。
【００８０】
なお、本発明では、第２の紐３Ｂは、第２の紐３Ｂの前記一方の端部側から第２の紐３Ｂの前記他方の端部側へかけて、第４の貫通孔４２を挿通するに際して、第４の貫通孔４２を角底部１５の側から前面部１１の側へ挿通してもよい。すなわち、前記経路において、前面部１１の孔４２ａ→角底部１５の孔４２ｂに代えて、逆に角底部１５の孔４２ｂ→前面部１１の孔４２ａにしてもよい。この場合、第２の紐３Ｂの前記一方の端部付近の抜け止め部１８Ｂは、前面部１１の孔４２ａの前側に位置し、第２の紐３Ｂの前記一方端部が第４の貫通孔４２から後側へ（前面部１１の孔４２ａから後側へ）抜けるのを阻止する。もっとも、この場合に比べて、前記経路において、前面部１１の孔４２ａ→角底部１５の孔４２ｂとすると、わずかながら第２の紐３Ｂが短くて済むので、好ましい。
【００８１】
本実施の形態では、第１及び第２の紐３Ａ，３Ｂの長さはリュックサック等と同様に両肩に掛けて当該紐付き袋体４１を背負うのに適した長さにされ、第１及び第２の紐３Ａ，３Ｂは、背負い用紐として用いられるようになっている。もっとも、本発明では、これに限らない。なお、紐３Ａ，３Ｂの長さ調整用として、前述したような紐調節用固定具を、第１の紐３Ａにおける第１及び第３の貫通孔１６，３２から前側へ導出された部分や、第２の紐３Ｂにおける第２及び第４の貫通孔１７，４２から前側へ導出された部分に装着してもよい。
【００８２】
本実施の形態によれば、第１及び第２の紐３Ａ，３Ｂが第１乃至第４の貫通孔１６，１７，３２，４２に対して前述したように挿通され、第１及び第２の紐３Ａ，３Ｂの一方端部付近及び他方端部付近にそれぞれ抜け止め部１８Ａ，１８Ｂ，１９Ａ，１９Ｂが設けられているので、角底袋２内に任意の物品を入れて使用者が紐３を例えばリュックサック等と同様に両肩に掛けて当該紐付き袋体３１を背負うことによって、特別な操作を要することなく、図２や図３に示すのと同様に、角底袋２の開口部２ａが閉じられる。
【００８３】
本実施の形態によれば、このようにして角底袋２の開口部２ａが閉じられるので、紐付き袋体４１を持ち運ぶ際に、角底袋２の開口部２ａを簡単に閉じることができる。
【００８４】
そして、本実施の形態では、紐３Ａ，３Ｂが２本用いられるが、角底袋２には第１乃至第４の貫通孔１６，１７，３２，４２以外の特別な構造を採用せずに済むため、構造が簡単で安価となる。
【００８５】
［第５の実施の形態］
【００８６】
図１４は、本発明の第５の実施の形態による紐付き袋体５１の、開口部２ａを中程度開口した状態を示す概略斜視図であるであり、図１に対応している。図１５（ａ）は、図１４中の連結具５２を示す正面図である。図１５（ｂ）は、図１５（ａ）中のＡ−Ａ’線に沿った断面図である。図１６は、図１４に示す紐付き袋体５１の、開口部２ａが閉じた状態の一例を示す斜め上方から見た一部概略斜視図である。図１７は、図１４に示す紐付き袋体５１の、開口部２ａが閉じた状態の他の例を示す斜め上方から見た一部概略斜視図である。図１８は、図１４に示す紐付き袋体５１の、開口部２ａが閉じた状態の更に他の例を示す斜め上方から見た一部概略斜視図である。図１９は、図１４に示す紐付き袋体５１の、開口部２ａが閉じた状態の更に他の例を示す斜め上方から見た一部概略斜視図である。図１４乃至図１９において、図１乃至図５中の要素と同一又は対応する要素には同一符号を付し、その重複する説明は省略する。
【００８７】
本実施の形態による紐付き袋体５１が前記第１の実施の形態による紐付き袋体１と異なる所は、連結具５２が追加されている点と、紐３の長さ及び取り付け状況である。
【００８８】
本実施の形態では、連結具５２は、図１５に示すように、長円形の板状部材で構成され、第３の貫通孔５３及び第４の貫通孔５４を有している。連結具５２の材料としては、例えば、合成樹脂や金属などを用いることができる。
【００８９】
本実施の形態では、紐３は、紐３の一方の端部側から紐３の他方の端部側へかけて、連結具５２の第３の貫通孔５３を挿通してから角底袋２の第１の貫通孔１６を前面部１１の側から後面部１２の側へ挿通した後に、第２の貫通孔１７を後面部１２の側から前面部１１の側へ挿通し、更に、連結具５２の第４の貫通孔５４を挿通している。紐３の前記一方の端部付近には抜け止め部１８が設けられ、紐３の前記他方の端部付近には抜け止め部１９が設けられている。
【００９０】
本実施の形態では、具体的には、図１４に示すように、紐３の一方の端部側から紐３の他方の端部側へかけて、連結具５２の第３の貫通孔５３を挿通してから前面部１１の孔１６ａ→右側部１３の孔１６ｂ→右側部１３の孔１６ｃ→後面部１２の孔１６ｄ→後面部１２の孔１７ｄ→左側部１４の孔１７ｃ→左側部１４の孔１７ｂ→前面部１１の孔１７ａ→連結具５２の第４の貫通孔５４の経路で、これらの孔を順次挿通している。紐３の前記一方の端部付近の抜け止め部１８は、連結具５２の第４の貫通孔５４に対する前面部１１とは反対側に位置しており、紐３の前記一方端部が第４の貫通孔５４から前面部１１側へ抜けるのを阻止する。紐３の前記他方の端部付近の抜け止め部１９は、連結具５２の第３の貫通孔５３に対する前面部１１とは反対側に位置しており、紐３の前記他方端部が第３の貫通孔５３から前面部１１側へ抜けるのを阻止する。
【００９１】
本実施の形態によれば、連結具５２が用いられ、紐３が第１乃至第４の貫通孔１６，１７，５３，５４に対して前述したように挿通され、紐３の一方端部付近及び他方端部付近にそれぞれ抜け止め部１８，１９が設けられているので、角底袋２内に任意の物品を入れて使用者が紐３を持って持ち上げたり肩に掛けたりすることによって、特別な操作を要することなく、図１６や図１７に示すように、角底袋２の開口部２ａが閉じられる。なお、図３と同様に、ボトル１００のトップ１００ａが開口部２ａから若干上方に突出していてもよい。
【００９２】
図１６は、紐３を２重状態にして手に提げる状態を示している。図１７は、紐３を１重状態にして肩に掛ける状態を示している。本実施の形態では、紐３の長さは、図１７に示す状態で肩に掛けるのに適した長さに設定されている。図１７に示す１重状態で手に提げるには紐３が長過ぎるが、図１６に示す２重状態の紐３の長さは手に提げるのに適した長さとなる。
【００９３】
本実施の形態によれば、このようにして角底袋２の開口部２ａが閉じられるので、紐付き袋体１を持ち運ぶ際に、角底袋２の開口部２ａを簡単に閉じることができる。
【００９４】
そして、本実施の形態では、連結具５２を要するものの、紐３が１本だけで済むとともに、角底袋２には第１及び第２の貫通孔１６，１７以外の特別な構造を採用せずに済むため、構造が簡単で安価となる。
【００９５】
また、本実施の形態によれば、角底袋２の側部１３，１４の襠部分にも紐３が挿通されるので、角底袋２の開口部２ａをより確実に閉じることができる。
【００９６】
さらに、本実施の形態によれば、紐３の一方端部が連結具５２の第４の貫通孔５４に対して抜け止めされる一方で、紐３の一方端部側は第４の貫通孔５４に対して繰り出し可能であるとともに、紐３の他方端部が連結具５２の第３の貫通孔５３に対して抜け止めされる一方で、紐の他方端部側は第３の貫通孔５３に対して繰り出し可能である。本実施の形態では、このような自由度を有しつつ紐３の一方端部と他方端部とが連結されるので、例えば、図１６に示すように紐３を１重状態にして肩に掛けたり、図１７に示すように紐３を２重状態にして手に提げたりすることができるのみならず、図１８に示すように紐３の一方端部側及び他方端部側を両方とも連結具５２から繰り出して当該繰り出し部分を任意の箇所（例えば、使用者の腰のバンドやアウトドアにおける木の枝など）に縛り付けたり、図１９に示すように紐３の一方端部側のみ又は他方端部側のみを連結具５２から繰り出して当該繰り出し部分を任意の箇所（例えば、使用者の腰のバンドやアウトドアにおける木の枝など）に縛り付けたりするなど、多彩な使用方法が可能となる。
【００９７】
本実施の形態において、図１５に示す連結具５２に代えて、例えば、図２０に示す連結具５２’や図２１に示す連結具５２”を用いてもよい。
【００９８】
図２０（ａ）は、図１５に示す連結具５２に代わる連結具５２’を示す正面図であり、図１５（ａ）に対応している。図２０（ｂ）は、図２０（ａ）中のＢ−Ｂ’線に沿った断面図であり、図１５（ｂ）に対応している。図２１（ａ）は、図１５に示す連結具５２に代わる他の連結具５２”を示す正面図であり、図１５（ａ）に対応している。図２１（ｂ）は、図２１（ａ）中のＣ−Ｃ’線に沿った断面図であり、図１５（ｂ）に対応している。図２０及び図２１において、図１５中の要素と同一又は対応する要素には同一符号を付し、その重複する説明は省略する。
【００９９】
図２０に示す連結具５２’は円形の板状部材で構成され、図２１に示す連結具５２”はハート形状の板状部材で構成されている。本発明では、連結具は、他の任意の形状の板状部材で構成してもよい。連結具を板状部材で構成すると、構造が簡単で安価となるので好ましい。もっとも、本発明では、連結具は球状部材などで構成してもよい。
【０１００】
以上、本発明の各実施の形態について説明したが、本発明はこれらの実施の形態に限定されるものではない。
【符号の説明】
【０１０１】
１，２１，３１，４１，５１  紐付き袋体
２  角底袋
２ａ  開口部
３，３Ａ，３Ｂ  紐
１１  前面部
１２  後面部
１３，１４  側部
１５  角底部
１６  第１の貫通孔
１７  第２の貫通孔
１８，１９，１８Ａ，１８Ｂ，１９Ａ，１９Ｂ  抜け止め部
２２  紐調節用固定具
３２  第３の貫通孔
４２  第４の貫通孔
５２  連結具
５３  第３の貫通孔
５４  第４の貫通孔
【図１】
2015212166.tif 000003
【図２】
2015212166.tif 000004
【図３】
2015212166.tif 000005
【図４】
2015212166.tif 000006
【図５】
2015212166.tif 000007
【図６】
2015212166.tif 000008
【図７】
2015212166.tif 000009
【図８】
2015212166.tif 000010
【図９】
2015212166.tif 000011
【図１０】
2015212166.tif 000012
【図１１】
2015212166.tif 000013
【図１２】
2015212166.tif 000014
【図１３】
2015212166.tif 000015
【図１４】
2015212166.tif 000016
【図１５】
2015212166.tif 000017
【図１６】
2015212166.tif 000018
【図１７】
2015212166.tif 000019
【図１８】
2015212166.tif 000020
【図１９】
2015212166.tif 000021
【図２０】
2015212166.tif 000022
【図２１】
2015212166.tif 000023